(57)【特許請求の範囲】
【請求項１】
電柱上部に設置された柱上開閉器を開閉する操作レバーに上端が接続され下方に垂下された操作綱の下端に接続される操作リンクであって、
リンク本体が中空の球体であって、内部におもりを固定し、リンク本体の重心を中心から下方に偏倚させた球形であることを特徴とする操作リンク。
【請求項２】
電柱上部に複数の柱上開閉器が設置されている場合において、前記複数の柱上開閉器におけるどの柱上開閉器に対応しているかを示す識別情報を、前記リンク本体に付与することを特徴とする請求項１記載の操作リンク。
【発明の詳細な説明】
【技術分野】
【０００１】
本発明は、柱上開閉器の操作綱の下端に取り付けられる操作リンク及びこの操作リンクを操作する操作棒に関する。
【背景技術】
【０００２】
電柱上部に設置される柱上開閉器には、入・切操作を行うための操作レバーが設けられている。この操作レバーは回転可能に開閉器本体に設けられており、操作レバーの一端部を下げると柱上開閉器は「切」となり、操作レバーの他端部を下げると柱上開閉器は「入」となる。ここで、従来、柱上開閉器の操作レバーには、作業員が地上で入・切操作を行い易くするために、操作レバーの両端部から操作綱を垂下させている。更に、操作綱の下端部には操作リンクが連結されている。
【０００３】
操作リンクは、長尺の操作棒を用いて地上の作業員によって操作される。具体的に、作業員が、例えば、先端部が鉤状に形成されている長尺の操作棒に操作リンクを引っ掛け、操作棒を引っ張ることにより、柱上開閉器の入・切操作が行われる。
【０００４】
また、従来、この種の技術として、特許文献１に記載された技術がある。特許文献１には、リング状に形成された操作リンクについて記載されている。
【先行技術文献】
【特許文献】
【０００５】
【特許文献１】特開平１０−６４３６７号公報
【発明の概要】
【発明が解決しようとする課題】
【０００６】
ところで、従来、操作リンクとしては、特許文献１に記載されているようなリング状のものや、札のような平板状のものが多く用いられている。しかし、リング状の操作リンクの場合には、風によって揺動して例えば電柱の足場ボルトに引っ掛かってしまうおそれがある。操作リンクが足場ボルト等に引っ掛かってしまうと操作リンクの操作が不能になり、柱上開閉器を操作したいときに操作できなくなるおそれがある。
【０００７】
また、平板状の操作リンクの場合には、操作棒の先端部を操作リンクに引っ掛ける作業が容易ではなく、長尺の操作棒を用いて操作リンクにアプローチする際に、特定の方向からアプローチする必要がある。
【０００８】
本発明は、このような問題点を解決し、電柱の足場ボルト等に引っ掛かることが防止可能であり、しかも地上の作業員が長尺の操作棒を用いて容易に操作できる柱上開閉器操作綱の操作リンク及びこの操作リンク用の操作棒を提供することを目的とする。
【課題を解決するための手段】
【０００９】
前記目的を達成するため、本発明は、次に記載する構成を備えている。
【００１０】
（１）  電柱上部に設置された柱上開閉器を開閉する操作レバーに上端が接続され下方に垂下された操作綱の下端に接続される操作リンクであって、リンク本体が球形であることを特徴とする柱上開閉器操作綱の操作リンク。
【００１１】
（１）によれば、操作リンクの本体が球形であるため、地上の作業員が操作棒を持って、リンク本体における操作綱の付け根部分に対してどの角度からアプローチしても、操作棒をリンク本体に引っ掛けることが可能になり、柱上開閉器の切・入の切替にかかる作業を容易に行うことが可能になる。また、リンク本体が球形なので、電柱の足場ボルトに引っ掛かり難くなる。更に、本体が球形なので、風等で操作リンクが揺れて電柱と接触するような場合でも、接触面が小さいことにより、騒音の発生を低減することができる。
【００１２】
（２）  （１）において、電柱上部に複数の柱上開閉器が設置されている場合において、前記複数の柱上開閉器におけるどの柱上開閉器に対応しているかを示す識別情報を、前記リンク本体に付与することを特徴とする柱上開閉器操作綱の操作リンク。
【００１３】
（２）によれば、電柱上部に複数の柱上開閉器が設置されている場合において、切り替え対象の柱上開閉器に対応する操作リンクがどの操作リンクであるかを容易に識別することが可能になる。
【００１４】
（３）  （１）又は（２）の操作リンクを先端部に引っ掛ける操作棒であって、長尺の棒状部材と、当該棒状部材の先端部に取り付けられ、前記リンク本体の直径よりも狭い範囲で二股に分かれる鉤状の爪部と、を有することを特徴とする操作棒。
【００１５】
（３）によれば、二股に分かれる鉤状の爪部の間に操作綱を位置付け、そのまま下方に下ろすことにより、球形のリンク本体に爪部を引っ掛けることが容易に可能になる。これにより、柱上開閉器の切・入の切替にかかる作業を容易に行うことが可能になる。
【発明の効果】
【００１６】
本発明によれば、電柱の足場ボルト等に引っ掛かることが防止可能であり、しかも地上の作業員が長尺の操作棒を用いて容易に操作できる操作リンクを提供することが可能になる。
【図面の簡単な説明】
【００１７】
【図１】本発明の一実施形態の操作リンク１及びその周辺を示す模式図である。
【図２】本発明の一実施形態の操作リンク１の構成を示す正面図である。
【図３】本発明の一実施形態の操作リンク１の他構成を示す正面図である。
【図４】本発明の一実施形態の操作棒４０において、先端に設けられている操作リンク用先端工具３０の構成を示す斜視図である。
【図５】本発明の一実施形態の操作棒４０の構成を示す説明図である。
【発明を実施するための形態】
【００１８】
以下、本発明の実施形態について、図面を参照しながら詳細に説明する。
図１は、本発明の一実施形態の操作リンク１及びその周辺を示す模式図である。操作リンク１は、電柱１００の上部に設置された柱上開閉器５０を開閉する際に用いられる部材である。
【００１９】
本発明の一実施形態における操作リンク１の説明に先立ち、柱上開閉器５０の周辺構成について説明する。
【００２０】
電柱１００の上部に、２本の腕金１０２が並んで固定されており、２本の腕金１０２にそれぞれ３相の配電線２００が連結されている。腕金１０２の下方に柱上開閉器５０が設置されており、この柱上開閉器５０に、一次側の３相の配電線２００及び二次側の３相の配電線２００が接続されている。
柱上開閉器５０は、筐体５２と、操作レバー５４と、表示針５６と、操作綱５８とを備えている。
【００２１】
筐体５２は、柱上開閉器５０を構成する各種の部品を収納あるいは支持するものである。筐体５２内には、一次側の３相の配電線２００と二次側の３相の配電線２００とを電気的に接続、遮断する開閉装置（図示せず）が設けられている。なお、以下の説明において、電気的に接続されている状態を「入」、電気的に遮断されている状態を「切」と称する。
【００２２】
操作レバー５４は、筐体５２に外部操作可能に設けられ、開閉装置（図示せず）を作動させる部材である。操作レバー５４は、中心が筐体５２に回転可能に設置されており、操作レバー５４の端部を上げ下げすることにより、開閉装置の「切」、「入」が切り替わる。
【００２３】
表示針５６は、筐体５２における操作レバー５４の反対面に設けられ、操作レバー５４に連動する。ここで、筐体５２における操作レバー５４の反対面には、「切」、「入」という文字が描かれており、開閉装置が「入」の場合には、表示針５６が「入」を向き、開閉装置が「切」の場合には、表示針５６が「切」を向くように動作する。
【００２４】
操作綱５８は、操作レバー５４の端部に上端が接続され、他端側は下方に垂下される。操作綱５８は、操作レバー５４の両端部にそれぞれ取り付けられ、操作綱５８を引くことにより、操作レバー５４が作動して柱上開閉器５０の開閉装置の「切」、「入」が切り替わる。
【００２５】
電柱１００における柱上開閉器５０の下方に、筒状の支持部２２が設置されており、更にその下方に地上操作用固定金物２０が設置されている。支持部２２は、操作綱５８、５８を挿入することにより、操作綱５８、５８を揃えた状態で垂下させるものである。地上操作用固定金物２０は、電柱１００に固定され、操作綱５８、５８の移動を規制するものである。通常状態においては、地上操作用固定金物２０の下方で操作綱５８、５８が引っ張られても操作綱５８、５８の移動が規制されているため、柱上開閉器５０は動作しない。柱上開閉器５０の「切」、「入」を切り替える際に、地上操作用固定金物２０を電柱１００から取り外すことにより、操作綱５８、５８の移動規制が解除される。
【００２６】
本発明の一実施形態における操作リンク１は、操作綱５８、５８の下端に連結される。
図２は、操作リンク１の構成を示す正面図であり、操作リンク１は、球形のリンク本体１０と、リンク本体１０の直径方向に延びる貫通孔１２と、を備えている。
【００２７】
操作リンク１は、衝撃が加わっても破損しない、電柱１００あるいは装柱部材に衝突しても大きな音が発生しない、経時劣化が少ない、といった条件を満たす材質によって構成されていることが望ましい。例えば、軽量な金属や、経時劣化が少ないゴム部材等が適用可能である。
【００２８】
操作リンク１は、操作綱５８が貫通孔１２の一方の開口に挿入され、図２に示すように、反対側から突出した操作綱５８の端部を縛ってこぶを形成することにより、操作綱５８の下端部に取り付けられる。
【００２９】
引っ張ることにより、柱上開閉器５０が「入」になる操作綱５８に接続された操作リンク１のリンク本体１０は、赤色に塗装されている。引っ張ることにより、柱上開閉器５０が「切」になる操作綱５８に接続された操作リンク１のリンク本体１０は、緑色に塗装されている。
【００３０】
柱上開閉器５０が「入」の状態の場合には、赤色の操作リンク１が緑色の操作リンク１よりも下方に位置する。反対に、柱上開閉器５０が「切」の状態の場合には、緑色の操作リンク１が赤色の操作リンク１よりも下方に位置する。
【００３１】
なお、赤色の操作リンク１のリンク本体１０に「入」という文字を描き、緑色の操作リンク１のリンク本体１０に「切」という文字を描き、上方に位置する操作リンク１の色又は文字を確認することにより、現状において柱上開閉器５０が「入」であるか「切」であるかを判別可能にしてもよい。
【００３２】
また、１本の電柱１００の上部に複数（例えば３器）の柱上開閉器５０が設置されている場合には、操作リンク１のリンク本体１０に、３つの柱上開閉器５０におけるどの柱上開閉器５０に対応しているかを示す識別情報１６を形成する。例えば、図３に示すように、識別情報１６として縞模様をリンク本体１０に描き、縞なしのリンク本体１０と、縞が一本のリンク本体１０と、縞が二本のリンク本体１０と、３つのリンク本体１０に対して互いに異なる表示態様の識別上方を付与する。これにより、３つの柱上開閉器５０に対応する操作リンク１が識別可能になる。なお、柱上開閉器５０に対応する操作リンク１を識別ための縞模様は、赤色の操作リンク１及び緑色の操作リンク１の少なくともいずれか一方に形成する。
【００３３】
図４は、操作リンク１の操作に用いる操作リンク用先端工具３０を示す斜視図である。図５は、操作リンク１の操作に用いる操作リンク用先端工具３０を設けた操作棒４０を示す説明図であり、図５（ａ）は、操作棒４０に操作リンク用先端工具３０を設ける前の状態を示し、図５（ｂ）は、操作棒４０に操作リンク用先端工具３０を設けた後の状態を示す。
【００３４】
操作リンク用先端工具３０は、図４に示すように、操作棒４０の先端に連結、固定する連結部３２と、連結部３２の上部に設けられた爪部３４と、からなる。
操作棒４０は、図５に示すように、伸縮式の棒本体４２と、棒本体４２の先端に固定され、各種の先端工具に連結されるジョイント４４と、を備えている。
【００３５】
操作リンク用先端工具３０において、連結部３２は、円筒形状に構成されており、連結部３２の内側に操作棒４０の先端に設けられたジョイント４４が挿入される。
【００３６】
爪部３４は、一対の鉤爪３４ａ、３４ａによって構成されている。鉤爪３４ａ、３４ａは、連結部３２から上方に凸となる弧を描くように延び、先端部が斜め下方を向いている。また、鉤爪３４ａ、３４ａは、操作リンク用先端工具３０を軸方向視した場合に、鉤爪３４ａ、３４ａの先端部の間が互いに開くように二股に延びている。鉤爪３４ａ、３４ａの先端部の間隔は、操作リンク１の直径よりも短く、鉤爪３４ａ、３４ａの間に操作綱５８が配置できるように設定されている。
【００３７】
次に、柱上開閉器５０の切・入操作について説明する。
例えば、「入」の状態の柱上開閉器５０を「切」の状態に切り替える場合には、赤色の操作リンク１よりも上方に位置する緑色の操作リンク１を下方に引っ張ることにより、「切」の状態に切り替えることができる。
【００３８】
そこで、作業員は、まず操作棒４０の先端に操作リンク用先端工具３０を連結し、操作棒４０を操作して操作リンク用先端工具３０を、リンク本体１０における操作綱５８の付け根部分に近づける。
【００３９】
次に、作業員は、鉤爪３４ａ、３４ａの間に操作綱５８を位置付けた後、操作リンク用先端工具３０を下方に移動させて、鉤爪３４ａ、３４ａに操作リンク１を引っ掛ける。そして、作業員は、操作棒４０を下げることによって操作綱５８を介して操作レバー５４に下方に引っ張る力が加わり、操作レバー５４が回動する。これにより、図１に示すように、柱上開閉器５０が「切」の状態に切り替えられる。
【００４０】
なお、柱上開閉器５０が「切」の状態から「入」の状態に切り替える場合には、作業員が同様に操作棒４０を操作して、赤色の操作リンク１を下方に引っ張ることにより、「入」の状態に切り替えることができる。
【００４１】
以上説明したように構成された本実施形態の操作リンク１によれば、リンク本体１０が球形なので、作業員が操作棒４０を持って、リンク本体１０における操作綱５８の付け根部分に対してどの角度からアプローチしても、操作棒４０にリンク本体１０を引っ掛けることが可能になる。これにより、柱上開閉器５０の「切」・「入」の切り替えにかかる作業性を向上させることが可能になる。また、リンク本体１０が球形なので、電柱１００の足場ボルト１０４に引っ掛かり難くなる。更に、リンク本体１０が球形なので、風等で操作リンク１が揺れて電柱１００あるいは装柱部材と接触するような場合でも、接触面が小さいことにより、騒音の発生を低減することができる。
【００４２】
また、本実施形態の操作リンク１によれば、電柱１００の上部に複数の柱上開閉器５０が設置されている場合において、複数の柱上開閉器５０におけるどの柱上開閉器５０に対応しているかを示す識別情報１６がリンク本体１０に付与されている。これにより、電柱上部に複数の柱上開閉器５０が設置されている場合において、識別情報１６を確認することにより、どの操作リンク１を操作すればよいか容易に識別することが可能になる。
【００４３】
また、本実施形態の操作棒４０によれば、作業員が、操作棒４０を操作して、鉤爪３４ａ、３４ａの間に操作綱５８を位置付けた後、操作棒４０を下方に移動させるという簡単な手順で、操作リンク１を下方に移動させることが可能になる。
【００４４】
以上、本発明の実施形態について説明したが、本発明の実施形態は上述した実施形態に限るものではない。例えば、上述した実施形態によれば、操作リンク１は金属あるいはゴムによって球体に構成されているが、例えば、この球体が中空の球体であってもよい。更に、金属製の中空の球体の場合には、球体表面に複数の小孔を形成してもよい。
また、球体の表面にゴム層を形成してもよい。これにより、電柱１００あるいは装柱部材と接触した際に発生する打音を小さくすることができる。
【００４５】
また、中空のリンク本体１０の内部におもりを固定して、リンク本体１０の重心を中心から下方に偏倚させてもよい。これにより、操作リンク１の姿勢を安定させることが可能になる。
【符号の説明】
【００４６】
１  操作リンク
１０  リンク本体
１２  貫通孔
１６  識別情報
２０  地上操作用固定金物
２２  支持部
３０  操作リンク用先端工具
３２  連結部
３４  爪部
３４ａ  鉤爪
４０  操作棒
４２  棒本体
４４  ジョイント
５０  柱上開閉器
５２  筐体
５４  操作レバー
５６  表示針
５８  操作綱
１００  電柱
１０２  腕金
１０４  足場ボルト
２００  配電線
【図１】
0006013439.tif 000002
【図２】
0006013439.tif 000003
【図３】
0006013439.tif 000004
【図４】
0006013439.tif 000005
【図５】
0006013439.tif 000006